(57)【要約】【課題】電気的駆動源の熱をカバー体に伝わり難くすることが可能な弾球遊技機の提供を目的とする。【解決手段】本発明のパチンコ遊技機によれば、発射モータ６８を覆ったカバー体４５が発射モータ６８に遊嵌されているので、発射モータ６８から発する熱が直にカバー体４５に伝わり難くなる。これにより、例えばメンテナンス作業時に、発射モータ６８に作業者の手が直接触れるのを防止すると共に、作業者の手がカバー体４５に触れた場合に作業者に不快感を与えることを防止できる。また、カバー体４５の先端部と台板６５との間の隙間が遊技球よりも小さいので、この隙間から発射モータ６８に遊技球が衝突するのを防止すると共に、人の手が発射モータ６８に直接触れることを防止できる。さらに、カバー体４５には、遊技球が入球不可能な複数のスリット４７が形成されたので、発射モータ６８の熱をカバー体４５の外に効率よく逃がすことができる。【選択図】  図８
2004290248.tif 000002
【特許請求の範囲】
【請求項１】
遊技球を発射するための電気的駆動源と、
前記電気的駆動源が取り付けられたベース部材と、
前記電気的駆動源を挟んで前記ベース部材に対向配置されて、遊技の制御に関する回路基板を収容した基板収納ケースとを備えた弾球遊技機において、
前記基板収納ケースから前記ベース部材に向かって突出して、前記電気的駆動源を空間を空けて覆うカバー体を設けたことを特徴とする弾球遊技機。
【請求項２】
遊技球を発射するための電気的駆動源と、
前記電気的駆動源が取り付けられたベース部材と、
前記電気的駆動源を挟んで前記ベース部材に対向配置されて、遊技の制御に関する回路基板を収容した基板収納ケースとを備えた弾球遊技機において、
前記電気的駆動源を覆うように前記基板収納ケースから前記ベース部材に向かって突出するカバー体を設け、前記カバー体及び前記基板収納ケースは、前記電気的駆動源と非接触となるように構成されたことを特徴とする弾球遊技機。
【請求項３】
遊技球を発射するための金属部を少なくとも含む電気的駆動源と、
前記電気的駆動源が取り付けられたベース部材に対向配置されて、遊技の制御に関する回路基板を収容した基板収納ケースとを備えた弾球遊技機において、
前記電気的駆動源を覆うように前記基板収納ケースから前記ベース部材に向かって突出するカバー体を設け、前記カバー体及び前記基板収納ケースは、前記電気的駆動源のうち前記金属部と非接触となるように構成されたことを特徴とする弾球遊技機。
【請求項４】
前記カバー体は前記ベース部材に当接する位置又は前記ベース部材との間の隙間が遊技球より小さくなる位置まで延びたことを特徴とする請求項１乃至３の何れかに記載の弾球遊技機。
【請求項５】
前記基板収納ケースから前記ベース部材に向かって突出し、先端部が前記ベース部材に固定される固定用脚部を備えたことを特徴とする請求項１乃至４の何れかに記載の弾球遊技機。
【請求項６】
前記固定用脚部は、前記ベース部材に固定されて前記カバー体の先端を前記ベース部から離した状態に保持するように構成されたことを特徴とする請求項５に記載の弾球遊技機。
【請求項７】
前記固定用脚部の先端部には、前記ベース部材に凹凸係合する凹凸部係合部が備えられたことを特徴とする請求項５又は６に記載の弾球遊技機。
【請求項８】
前記カバー体には、前記遊技球が入球不能な切り欠き部が設けられたことを特徴とする請求項１乃至７の何れかに記載の弾球遊技機。
【請求項９】
前記切り欠き部は、複数設けられたことを特徴とする請求項８に記載の弾球遊技機。
【請求項１０】
前記カバー体には、前記電気的駆動源から延びたハーネスが通されるハーネス挿通孔が形成されたことを特徴とする請求項８又は９に記載の弾球遊技機。
【請求項１１】
前記ハーネス挿通孔は、前記カバー体の先端側に開放したことを特徴とする請求項１０に記載の弾球遊技機。
【請求項１２】
前記回路基板には、前記電気的駆動源を駆動するための回路が実装されたことを特徴とする請求項１乃至１１に記載の弾球遊技機。
【請求項１３】
前記カバー体は、前記電気的駆動源を囲む筒状をなしたことを特徴とする請求項１乃至１２の何れかに記載の弾球遊技機。
【発明の詳細な説明】
【０００１】
【発明の属する技術分野】
本発明は、遊技球を発射して遊技を行う弾球遊技機に関する。
【０００２】
【従来の技術】
一般に、この種の弾球遊技機では、遊技球の発射装置の電気的駆動源としてモータやソレノイドを内蔵して備えている（例えば、特許文献１参照）。
【０００３】
【特許文献１】
特開平１１−１７９０００号公報（［００１０］、第３図）
【０００４】
【発明が解決しようとする課題】
ところで、遊技機の電気的駆動源を覆うカバー体を電気的駆動源に直接接触させると、電気的駆動源から発する熱がカバー体に伝わり、カバー体自体が熱を持ってしまう。このため、例えば、メンテナンス作業時に、作業者の手がカバー体に触れた場合に、作業者に不快感を与える虞がある。
【０００５】
本発明は、上記事情に鑑みてなされたもので、電気的駆動源の熱がカバー体に直に伝わることを防止した弾球遊技機の提供を目的とする。
【０００６】
【課題を解決するための手段】
上記目的を達成するため、請求項１に係る弾球遊技機は、遊技球を発射するための電気的駆動源と、電気的駆動源が取り付けられたベース部材と、電気的駆動源を挟んでベース部材に対向配置されて、遊技の制御に関する回路基板を収容した基板収納ケースとを備えた弾球遊技機において、電気的駆動源を覆うように基板収納ケースからベース部材に向かって突出するカバー体を設け、カバー体及び基板収納ケースは、電気的駆動源と非接触となるように構成されたところに特徴を有する。
【０００７】
請求項２に係る弾球遊技機は、遊技球を発射するための電気的駆動源と、電気的駆動源が取り付けられたベース部材と、電気的駆動源を挟んでベース部材に対向配置されて、遊技の制御に関する回路基板を収容した基板収納ケースとを備えた弾球遊技機において、基板収納ケースからベース部材に向かって突出して、電気的駆動源を空間を空けて覆うカバー体を設けたところに特徴を有する。
【０００８】
請求項３に係る弾球遊技機は、遊技球を発射するための金属部を少なくとも含む電気的駆動源と、電気的駆動源が取り付けられたベース部材に対向配置されて、遊技の制御に関する回路基板を収容した基板収納ケースとを備えた弾球遊技機において、電気的駆動源を覆うように基板収納ケースからベース部材に向かって突出するカバー体を設け、カバー体及び基板収納ケースは、電気的駆動源のうち金属部と非接触となるように構成されたところに特徴を有する。
【０００９】
請求項４の発明は、請求項１乃至３の何れかに記載の弾球遊技機において、カバー体はベース部材に当接する位置又はベース部材との間の隙間が遊技球より小さくなる位置まで延びたところに特徴を有する。
【００１０】
請求項５の発明は、請求項１乃至４の何れかに記載の弾球遊技機において、基板収納ケースからベース部材に向かって突出し、先端部がベース部材に固定される固定用脚部を備えたところに特徴を有する。
【００１１】
請求項６の発明は、請求項５に記載の弾球遊技機において、固定用脚部は、ベース部材に固定されてカバー体の先端をベース部から離した状態に保持するように構成されたところに特徴を有する。
【００１２】
請求項７の発明は、請求項５又は６に記載の弾球遊技機において、固定用脚部の先端部には、ベース部材に凹凸係合する凹凸部係合部が備えられたところに特徴を有する。
【００１３】
請求項８の発明は、請求項１乃至７の何れかに記載の弾球遊技機において、カバー体には、遊技球が入球不能な切り欠き部が設けられたところに特徴を有する。
【００１４】
請求項９の発明は、請求項８に記載の弾球遊技機において、切り欠き部は、複数設けられたところに特徴を有する。
【００１５】
請求項１０の発明は、請求項８又は９に記載の弾球遊技機において、カバー体には、電気的駆動源から延びたハーネスが通されるハーネス挿通孔が形成されたところに特徴を有する。
【００１６】
請求項１１の発明は、請求項１０に記載の弾球遊技機において、ハーネス挿通孔は、カバー体の先端側に開放したところに特徴を有する。
【００１７】
請求項１２の発明は、請求項１乃至１１に記載の弾球遊技機において、回路基板には、電気的駆動源を駆動するための回路が実装されたところに特徴を有する。
【００１８】
請求項１３の発明は、請求項１乃至１２の何れかに記載の弾球遊技機において、カバー体は、電気的駆動源を囲む筒状をなしたところに特徴を有する。
【００１９】
【発明の作用及び効果】
＜請求項１の発明＞
請求項１の弾球遊技機では、電気的駆動源を空間を空けて覆うカバー体を設けたので、空間による断熱効果により電気的駆動源の熱がカバー体に伝わることが防がれる。これにより、カバー体及び基板収容ケースに人の手が触れる作業も快適に行うことができる。また、カバー体により電気的駆動源を遊技球の衝突から保護することもできる。
なお、請求項１の発明においては、電気的駆動源を覆う空間がその電気的駆動源とカバー体との間に設けられていればよく、電気的駆動源の一部（例えば、コネクタやハーネス）にカバー体の一部が接触したものも本発明に含まれる。
【００２０】
＜請求項２の発明＞
請求項２の弾球遊技機では、カバー体及び基板収納ケースは、電気的駆動源と非接触となるように構成されているので、電気的駆動源の熱がカバー体及び基板収納ケースに直に伝わることが防がれ、断熱効果が向上する。これにより、カバー体及び基板収容ケースに人の手が触れる作業も快適に行うことができる。また、カバー体により電気的駆動源を遊技球の衝突から保護することもできる。
【００２１】
＜請求項３の発明＞
請求項３の弾球遊技機では、カバー体及び基板収容ケースは、電気的駆動源の熱が比較的伝わりやすい電気的駆動源の金属部と非接触となるように構成されているので、電気的駆動源の熱がカバー体及び基板収容ケースに伝わり難く、断熱効果が向上する。これにより、カバー体及び基板収容ケースに人の手が触れる作業も快適に行うことができる。また、カバー体により電気的駆動源を遊技球の衝突から保護することもできる。
【００２２】
なお、請求項１乃至３の発明において電気的駆動源は、モータ又はソレノイドで構成することが可能である。また、カバー体は、基板収納ケースに一体形成したものであってもよいし、基板収納ケースとは別体に設けられて基板収納ケースに一体的に組み付けられるものであってもよい。さらに、カバー体を基板収納ケースに一体形成すれば、部品点数の削減とカバー体と基板収納ケースとの組み付け作業の削減を図ることができる。
【００２３】
＜請求項４の発明＞
請求項４の弾球遊技機では、カバー体が電気的駆動源を覆ってベース部材に当接する位置又はベース部材との間の隙間が遊技球より小さくなる位置まで延び手いるので、電気的駆動源を遊技球の衝突からより確実に保護することができる。ここで、一般成人の指は遊技球よりも大きいので、人の指が電気的駆動源に直接触れることがより確実に防止できる。
【００２４】
＜請求項５の発明＞
請求項５の弾球遊技機では、基板収納ケースからベース部材に向かって突出した固定用脚部の先端部がベース部材に固定されるので、ベース部と基板収納ケースとが相対位置関係のばらつきが抑えられ、カバー体を電気的駆動源に対する設計通りの位置に配置することが可能になる。
【００２５】
＜請求項６の発明＞
請求項６の弾球遊技機では、固定用脚部をベース部材に固定したときには、カバー体の先端がベース部から離されているので、固定用脚部とカバー体の長さにばらつきがあっても、確実に固定用脚部がベース部材に当接して固定される。
【００２６】
＜請求項７の発明＞
請求項７の弾球遊技機では、固定用脚部の先端部には、ベース部材に凹凸係合する凹凸部係合部が備えられているので、固定用脚部と共に基板収納ケースがベース部材に対して位置決めされ、カバー体を電気的駆動源に対する設計通りの位置に配置することが可能になる。
【００２７】
＜請求項８及び９の発明＞
請求項８の弾球遊技機では、カバー体に、遊技球が入球不能な切り欠き部を設けたので、電気的駆動源への遊技球の衝突を防ぎつつ、電気的駆動源の熱をカバーの外に効率的に逃がすことができる。ここで、切り欠き部は、複数であることが放熱を効率良く行う上で好ましい（請求項９の発明）。
【００２８】
＜請求項１０の発明＞
請求項１０の弾球遊技機では、ハーネス挿通孔を通して電気的駆動源から延びたハーネスをカバーの外に延ばすことができる。また、ハーネス挿通孔は、電気的駆動源の熱をカバーの外に効率的に逃がす効果も奏する。
【００２９】
＜請求項１１の発明＞
請求項１１の弾球遊技機では、ハーネス挿通孔は、カバー体の先端側に開放しているので、カバー体をベース部材に突き合わせて、ハーネスをハーネス挿通孔に通すことができ、作業性が向上する。
【００３０】
＜請求項１２の発明＞
請求項１２の弾球遊技機では、回路基板には電気的駆動源を駆動するための回路を実装され、その回路基板が基板収納ケースに収納されているので、その回路基板と電気的駆動源とを接近させて配置することができる。
【００３１】
＜請求項１３の発明＞
請求項１３の弾球遊技機では、カバー体は、電気的駆動源を囲む筒状をなしているので、電気的駆動源への遊技球の衝突をより確実に防ぐと共に、人の手が電気的駆動源へ触れることを防止できる。
【００３２】
【発明の実施の形態】
以下、本発明を適用したパチンコ遊技機に係る一実施形態を、図１〜図９に基づいて説明する。図１に示すように、本実施形態のパチンコ遊技機の遊技盤１１には、ガイドレール１２で囲まれたほぼ円形の遊技領域Ｒ１が形成され、中央部には、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、一般入賞口２０，２１が設けられ、遊技領域Ｒ１全体に亘って、図示しない複数の障害釘が起立している。また、ガイドレール１２に沿った両側端部には、サイドランプ２２，２２が設けられている。
【００３３】
図１に示すように、パチンコ遊技機のうち、遊技盤１１より上方には、遊技盤１１の前面側に張り出した装飾ランプ３５が設けられている。パチンコ遊技機のうち遊技盤１１より下方には、上皿２７Ａ及び下皿２７Ｂが上下２段にして設けられている。上皿２７Ａの両側には、スピーカ５９Ｓが備えられており、上皿２７Ａに備えたボタン２９を押せば、上皿２７Ａから下皿２７Ｂに遊技球が移動して収容される。そして、下皿２７Ｂの右端部に設けた操作ノブ２８を操作することで、上皿２７Ａに収容された遊技球が遊技盤１１に向けて弾き出される。
【００３４】
ここで、操作ノブ２８には、発射停止スイッチ６１（図９を参照）が備えられている。発射停止スイッチ６１は、操作ノブ２８が回動されてないときにはオンされ、回動されたときにオフされる。そして、発射停止スイッチ６１がオンされると遊技球の発射が停止される。なお、操作ノブ２８を回動したままで発射停止スイッチ６１を操作することで、遊技球を所望のタイミングで発射させることができる。
【００３５】
操作ノブ２８のうち、遊技者が触れる部分は、例えば表面に金属メッキが施された樹脂部材で構成されている。そして、この部分に流れる電流の変化によって操作ノブ２８に遊技者が触れているか否かが判断され、発射停止スイッチ６１がオフでかつ操作ノブ２８に遊技者が触れていた場合に、遊技球が遊技盤１１に向けて弾き出される。なお、樹脂部材に流れる電流の変化は、操作ノブ２８の内側に備えたハンドルアース６０（図９を参照）によって検出される。
【００３６】
次に所要の各部位についてさらに詳説する。
始動ゲート１８は、遊技球が潜って通過可能な門形構造をなし、通過した遊技球は、その始動ゲート１８に内蔵した普通図柄始動センサー３０（図９参照）によって検出される。そして、その検出信号に基づいて、後述する普通図柄表示領域２４の図柄が変動表示される。
【００３７】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、普通図柄始動センサー３０への遊技球の通過を起因に遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００３８】
始動入賞口１４に遊技球が入賞すると、始動入賞口１４内に設けた特別図柄始動センサー３１（図９参照）が遊技球を検出し、その検出信号に基づいて表示装置１３が後述するように図柄を変動表示する。なお、表示装置１３が図柄を変動表示している間に、始動入賞口１４に入賞した入賞球は、４個まで保留記憶される。
【００３９】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイド１５Ｓ（図９参照）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００４０】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイド１５Ｓ（図９を参照）が駆動されて、継続入賞口が閉鎖される一方、計数入賞口は開放されたままとなる。そして、継続入賞口内に設けた特定領域センサ３２（図９を参照）が遊技球の入賞を検出すると継続権利が発生して、前述した終了条件（可動扉１５Ｔの開放時間が２９秒に達したか、又は、大入賞口１５に遊技球が１０個入賞したか）を満たしてラウンドが終了した後で、連続して次のラウンドが実行される。また、計数入賞口内に設けたカウントセンサ３３（図９参照）が遊技球の入賞を検出すると、前記継続入賞口への入賞球と合わせて、大入賞口１５への入賞球がカウントされ、これらが前記したように計１０個に達したか否かがチェックされる。
【００４１】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、表示部３４となっており、遊技者は、表示枠体２３を通して表示部３４に表示された画像を見ることができる。
【００４２】
表示部３４には、図１に示すように、通常は、３つの左、中、右の特別図柄８０，８１，８２が、横並びに表示されている。これら各特別図柄８０，８１，８２は、例えば、「０」〜「１１」の数字を表記した複数種類のもので構成されており、通常は、各特別図柄８０，８１，８２ごと、所定の種類のものが、表示部３４に確定表示されている。そして、始動入賞口１４に遊技球が入賞したときに当否判定し、各特別図柄８０，８１，８２が、上下方向にスクロールして変動表示され、所定時間後に、例えば、左、中、右の順で各特別図柄８０，８１，８２が停止表示される。このとき、例えば、当否判定の結果が当たりで全ての特別図柄８０，８１，８２が同じ図柄、即ち、ぞろ目になった場合に、遊技が「大当たり状態」になり、可動扉１５Ｔが開かれる。
【００４３】
表示部３４のうち、特別図柄８０，８１，８２の表示領域の左下隅には、普通図柄表示領域２４が設けられている。この普通図柄表示領域２４は、始動ゲート１８内に設けた普通図柄始動センサー３０（図９参照）が遊技球の通過を検出したときに当否判定して、例えば、「０」〜「９」までの数字を所定期間に亘って変動表示した後、所定の数字を確定表示する。そして、確定表示された数字が、例えば、奇数の場合に、遊技盤１１の裏に設けた始動入賞口用ソレノイド１４Ｓ（図９参照）が駆動されて始動入賞口１４に設けた可動翼片１４Ｃ，１４Ｃが所定期間（例えば、０．４秒）に亘って横に倒される。なお、普通図柄表示領域２４で表示する図柄は、数字に限るものではなく、アルファベットや記号等でもよい。
【００４４】
前記した上皿２７Ａ、下皿２７Ｂ及び装飾ランプ３５（図１を参照）等は、図２に示した前面枠９０に組み付けられており、その前面枠９０の後面側に、遊技盤１１が固定されている。そして、前面枠９０に設けた遊技窓９０Ｗを通して、遊技盤１１面を見ることが可能となっている。
【００４５】
前面枠９０の後面のうち、下端側の一角部には、発射装置４０が取り付けられている。また、前面枠９０のうち発射装置４０と対向した部分には、開口部９０Ｓが貫通形成され、前面枠９０の前側からこの開口部９０Ｓを通して操作ノブ２８が発射装置４０の一端に連結される。さらに、前面枠９０の前面には、開口部９０Ｓから斜め上方に向かって延びた発射レール６３が取り付けられている。
【００４６】
発射装置４０は、図４に示すように、台板６５（本発明の「ベース部材」に相当する）に、本発明の「電気的駆動源」に相当する発射モータ６８、打撃槌６７等の種々の部品を組み付けて備える。
【００４７】
打撃槌６７は、略帯板状の本体の先端から打撃部６７Ｓを突出させた構造をなし、打撃部６７Ｓには、打撃用コイルバネが固定されている。また、打撃槌６７は、台板６５の後面側に配されており、打撃槌６７の基端寄り位置には、台板６５を貫通した回動軸６９が固定されている。さらに、打撃部６７Ｓは、発射レール６３に形成された打撃窓６３Ｗ（図３を参照）に臨んでいる。そして、回転軸６９が、図示しないベアリングにより台板６５に回転可能に軸支されることで、打撃槌６７が回動し、打撃部６７Ｓが打撃窓６３Ｗに進退する。
【００４８】
なお、台板６５の後面には、図５に示すように、ストッパ７７，７７が備えられており、これらストッパ７７，７７により、打撃槌６７の回動範囲が規制されている。
【００４９】
図４に示すように、台板６５の前面には、回転軸６９が貫通した弾発エレメント６６Ｅが取り付けられている。弾発エレメント６６Ｅは、台板６５の前面に敷設された回動円板７４と、回転軸６９の先端に固定された円筒キャップ７０との間に、ねじりバネ６６を挟んでなる。ねじりバネ６６は、円筒キャップ７０又は回動円板７４から延びた図示しない筒部の周りに巻回されている。そして、ねじりバネ６６の一方の端部が円筒キャップ７０に係止されかつ、他方の端部が回動円板７４に係止されている。
【００５０】
回動円板７４は、回転軸６９に対して回動可能となっており、回動円板７４の周面には図示しないギヤが形成されている。そして、台板６５の前面に固定された操作ノブ装着部２８Ｔに操作ノブ２８（図２参照）を装着すると、図４に示されたラックギヤ７５及びアイドルギヤ７６を含むギヤ機構によって、操作ノブ２８と回動円板７４が連結されて、操作ノブ２８の回動操作に応じて回動円板７４が回動するようになっている。これにより、ねじりバネ６６の一方の端部の位置を変更することができる。
【００５１】
円筒キャップ７０からは、操作ノブ装着部２８Ｔ側に向かってレバー７１が突出しており、レバー７１の先端から台板６５に向かって摺動ボス７１Ｂが突出している。そして、台板６５のうち弾発エレメント６６Ｅと操作ノブ装着部２８Ｔとの間に設けた回転盤７３Ｂとこの摺動ボス７１Ｂとが摺動する。具体的には、回転盤７３Ｂは、歯車７２の前面にカム７３を一体形成してなり、台板６５に回転可能に取り付けられている。また、台板６５の裏面に固定された発射モータ６８の回転軸が、台板６５の前面のうち歯車７２の近傍に突出しており、その発射モータ６８の回転軸に固定された小ギヤ（図示せず）が、歯車７２に噛合している。そして、発射モータ６８を駆動することで、回転盤７３Ｂ全体が一方に回転するようになっている。
【００５２】
また、カム７３は、半円形をなして歯車７２に偏在しており、回転盤７３Ｂが回転することで、カム７３の曲面とレバー７１の摺動ボス７１Ｂとが摺接し、ねじりバネ６６に抗して円筒キャップ７０が一方向に回転される。そして、カム７３の曲面が摺動ボス７１Ｂを通過したときに、ねじりバネ６６の弾発力によって円筒キャップ７０が逆方向に一気に回転する。これにより、円筒キャップ７０と共に打撃槌６７が往復回動し、発射レール６３にセットされた遊技球と打撃槌６７とが打撃窓６３Ｗにて衝突して、遊技球が遊技領域Ｒ１へ弾き出される。
【００５３】
なお、本実施形態の発射モータ６８は、１分間に１００回転するように構成されている。つまり、１分間に１００球の遊技球を打ち出すことができる。
【００５４】
前記した発射モータ６８は、略円柱状をなした本体の一端から１対のフランジ部６８Ｆ（図５を参照）を相異なる方向に張り出して備え、このフランジ部６８Ｆが台板６５に螺子止めされている。また、図６に示すように、金属で構成される発射モータ６８の本体の周面には、樹脂製のコネクタ接続部７８が突出して備えられており、このコネクタ接続部７８にハーネス４８の一端が接続されている。
【００５５】
台板６５のうち、図５における発射モータ６８の左側には、貫通孔６５Ｗが形成され、操作ノブ２８に備えられた発射停止スイッチ６１及びハンドルアース６０からの配線が台板６５の後側に通されている。
【００５６】
さて、図４に示すように、発射装置４０の後面には、基板収納ケース４２が設けられている。基板収納ケース４２は、扁平の箱形状をなし、その箱の扁平方向の途中部分で、基体部８６と蓋部８７に分解可能となっている。そして、基体部８６の内部に発射モータ６８を駆動制御する発射制御基板５９（本発明の「電気的駆動源を駆動するための回路が実装された回路基板」に相当する）を収納してから蓋部８７を基体部８６に係着させてある。また、発射制御基板５９は、基体部８６と蓋部８７との間に縁部を挟まれて、基板収納ケース４２の内部に固定されている。
【００５７】
さらに、蓋部８７のうち、図５における左側辺には、上下の２箇所に段差部８８，８８が形成されており、この段差部８８，８８の形成された部分で基板収納ケース４２が開放している。そして、この開放部分から、前述した発射停止スイッチ６１やハンドルアース６０からの配線及び発射モータ６８に接続されたハーネス４８が発射制御基板５９に接続されている。
【００５８】
図３に示すように、基板収納ケース４２の基体部８６からは、台板６５に向けて複数の固定用脚部８５が延設されている。本実施形態では、固定用脚部８５は３つ設けられており、１つの固定用脚部８５は、基体部８６の一側部に配されて、台板６５に向かって直立し、台板６５のうち貫通孔６５Ｗの上方位置に突き当てられている（図５を参照）。また、残り２つの固定用脚部８５，８５は、前記一側部と反対側の側部から外側に広がるように傾斜して延び、台板６５のうち打撃槌６７の回動領域の近傍に突き当てられている。また、各固定用脚部８５の内側にはリブ８５Ｒが設けられ、固定用脚部８５の補強がなされている。
【００５９】
各固定用脚部８５の先端部には側方に向って屈曲した螺子取付部８５Ｆが備えられている。螺子取付部８５Ｆの台板６５との当接面には凹所８３（本発明の「凹凸係合部」に相当する）が形成され、この凹所８３を台板６５に形成されたボス部６５Ｂ（図７を参照）に嵌合させることで、台板６５に対する基板収納ケース４２の取付位置が決定されている。そして、螺子取付部８５Ｆとボス部６５Ｂとが嵌合した状態で螺子取付部８５Ｆを貫通して螺子を台板６５に螺合することで、基板収納ケース４２が台板６５に固定されている。ここで、固定用脚部８５は、図８に示すように、基体部８６が発射モータ６８の後端面６８Ｂから離れた状態（即ち、非接触の状態）に保持される長さになっている。
【００６０】
さて、基板収納ケース４２には、発射モータ６８を覆うカバー体４５が一体形成されている。図３に示すように、カバー体４５は、基体部８６のうち台板６５と対向した面から台板６５に向かって起立している。カバー体４５は、発射モータ６８に対応した略円筒形状をなしている。詳細には、円筒体の周面の一部を発射モータ６８に備えたコネクタ接続部７８に対応させて外側に膨出した形状をなす（図５を参照）。ここで、カバー体４５は、発射モータ６８を非接触状態で収容可能な大きさをなしている。これにより、カバー体４５が樹脂製であった場合には、発射モータ６８の熱によるカバー体４５の変形を防止することができる。そして、本実施例では、カバー体４５及び基板収容ケース４２が、少なくとも金属で構成された発射モータ６８の外面と非接触となっている。よって、熱の伝わりにくい樹脂製のコネクタ接続部７８やビニール製のハーネス４８にカバー体４５や基板収容ケース４２が接触していても特に問題はない。また、図８に示すように、カバー体４５は、その先端が台板６５及び発射モータ６８のフランジ部６８Ｆに接触しない長さになっている。これにより、固定用脚部８５とカバー体４５の長さにばらつきがあっても、確実に固定用脚部８５を台板６５に固定することができる。また、カバー体４５の先端と台板６５及び発射モータ６８のフランジ部６８Ｆとの間の隙間は、例えば、遊技球の半径よりも小さくなっている。これにより、台板６５とカバー体４５との隙間から遊技球が進入不可能となっている。さらに、図６に示すように、カバー体４５の先端部のうち、フランジ部６８Ｆに付き合わされた部分には、発射モータ６８を固定した螺子４６Ｎとの接触を避けるための矩形凹所４６が形成されている。
【００６１】
図３に示すように、カバー体４５の周面には、縦長のスリット４７（本発明の「切欠き部」に相当する）形成されている。これらスリット４７はカバー体４５を４等配した位置に形成されており、カバー体４５の先端部分で開放している。また、これらスリット４７の幅は、例えば遊技球の半径とほぼ同じ大きさとなっており、遊技球がカバー体４５の内側に進入できないようになっている。これにより、発射モータ６８への遊技球の衝突を防止しつつ、発射モータ６８の熱をカバー体４５の外に効率的に逃がすことができる。これらスリット４７のうち、カバー体４５の膨出部分、つまり発射モータ６８に備えたコネクタ接続部７８が収容される部分に形成されたスリット４７Ａ（本発明の「ハーネス挿通孔」に相当する、図６を参照）は他の３つのスリット４７よりも若干幅広となっており、コネクタ接続部７８に接続されたハーネス４８が挿通可能な大きさとなっている。つまり、スリット４７Ａは、発射モータ６８の熱をカバー体４５の外に逃がすと共に、発射モータ６８に接続されたハーネス４８をカバー体４５の外側に引き出すことが可能となっている。また、スリット４７Ａは、カバー体４５の先端側で開放されているので、ハーネス４８をスリット４７Ａに通す場合には、基板収納ケース４２を台板６５に固定する際に、スリット４７Ａの先端開放部分からハーネス４８を通せばよく、作業性が向上する。
【００６２】
次いで、図９を参照しつつ本実施形態のパチンコ遊技機の電気的な構成について説明する。主制御基板５０は、ＣＰＵ５１ＡとＲＯＭ５１Ｂ及びＲＡＭ５１Ｃを合わせてパッケージしてなるワンチップマイコン５１を主要部として備える。
【００６３】
主制御基板５０には、定期リセット回路５３が備えられ、周期的（例えば、２ｍｓｅｃごと）に割り込みパルスをワンチップマイコン５１に出力する。ワンチップマイコン５１は、割り込みパルスを受ける度に、ＲＯＭ５１Ｂに記憶した種々のプログラムをランする。
【００６４】
ワンチップマイコン５１は、インターフェース５４を介して、前述した入賞球を検出するためのセンサー３０，３１，３２，３３等から信号を受けると共に、ランした種々のプログラムに従って、ランプ制御基板５５、音声制御基板５６、表示制御基板５７、払出制御基板５８、発射制御基板５９等に制御信号を出力して各部位を制御する。
【００６５】
ランプ制御基板５５は、左右のサイドランプ２２，２２や、表示装置１３の表示枠体２３等への電力供給をオンオフする駆動回路（図示せず）を内蔵して備え、ワンチップマイコン５１から受けた信号に基づき、前記駆動回路を作動させて、各ランプ、ＬＥＤを駆動制御する。
【００６６】
表示制御基板５７は、主制御基板５０から受けた信号を図示しない表示用ＣＰＵで処理すると共に、表示用ＣＰＵの処理結果に基づき、ＶＤＰ（図示せず）が画像データを生成して、これを表示部３４へと出力する。
【００６７】
音声制御基板５６は、ワンチップマイコン５１から受けた信号に基づいて、所定の音声信号を図示しないＲＯＭから取り出し、これをアナログ信号に変換及び増幅してスピーカ５９Ｓに出力する。
【００６８】
払出制御基板５８は、主制御基板５０のワンチップマイコン５１から受けた信号に基づき、所定数の遊技球を賞球として、前記上皿２７Ａに払い出す。
【００６９】
発射制御基板５９は、操作ノブ２８の操作に応じて発射モータ６８を駆動して、遊技領域Ｒ１に向けて遊技球を発射する。具体的には、ハンドルアース６０によって遊技者が操作ノブ２８に触れたことが検出されかつ、操作ノブ２８に備えた発射停止スイッチ６１がオフされたときに発射モータ６８が駆動して遊技球が発射される。また、遊技者が操作ノブ２８から手を離したか、発射停止スイッチ６１がオンされたかの何れかの状態となると、発射モータ６８が停止して遊技球の発射が停止される。
【００７０】
電源基板５２は、パチンコホールに備えられたＡＣ２４Ｖ設備電源から受電して、各基板５０，５５〜５９や発射モータ６８、各種ソレノイド１４Ｓ，１５Ｓ等に給電している。
【００７１】
本実施形態のパチンコ遊技機の構成は以上であり、次に上記構成からなるパチンコ遊技機の作用・効果を説明する。
【００７２】
基板収納ケース４２は以下のようにして台板６５に取り付けられる。即ち、基板収納ケース４２の固定用脚部８５が起立した側を発射装置４０の後側から近づけて、固定用脚部８５の螺子取付部８５Ｆに形成された凹所８３と台板６５に形成されたボス部６５Ｂとが嵌合するように、固定用脚部８５を台板６５の後面に突き当てる。これにより、台板６５に対する基板収納ケース４２の位置が決定され、台板６５の後面に敷設された発射モータ６８が基板収納ケース４２から起立したカバー体４５で覆われる。ここで、基板収納ケース４２は、固定用脚部８５の凹所８３を台板６５のボス部６５Ｂに嵌合させて、台板６５に固定されているので、台板６５と基板収納ケース４２との相対位置のばらつきを抑えることができ、カバー体４５を発射モータ６８に対する設計通りの位置に配置することが可能となっている。
【００７３】
さて、本実施形態のパチンコ遊技機による遊技を中断して発射装置４０のメンテナンス作業を行う場合には、以下のようである。遊技が行われて発射モータ６８が約２時間の連続駆動されると、その発射モータ６８の温度が４０〜５０℃になる。このような状況で、メンテナンスを行うために前面枠９０が開放され、発射モータ６８の周辺に作業者の手が差し込まれる場合がある。ところが、本実施形態のパチンコ遊技機では、発射モータ６８の全周がカバー体４５で覆われているので、発射モータ６８に作業者の手が直接触れることが防がれる。しかも、発射モータ６８とカバー体４５及び基板収納ケース４２との間には空間が形成され、カバー体４５の先端部と台板６５及び発射モータ６８のフランジ部６８Ｆとの間にも隙間が形成されている。つまり、カバー体４５は、発射モータ６８に対して非接触状態になっており、発射モータ６８の熱がカバー体４５に伝わり難くいので、カバー体４５に作業者の手が触れる作業も、快適に行うことができる。
【００７４】
また、前面枠９０を開放した場合に、発射装置４０上に遊技球がこぼれ落ちることがあるが、本実施形態のパチンコ遊技機では発射モータ６８の周囲がカバー体４５によって覆われているので、遊技球が発射モータ６８に衝突することがない。なお、カバー体４５は、基板収納ケース４２に一体に形成されたので、カバー体４５と基板収納ケース４２とを別体で設けた場合に比較して部品点数及びカバー体４５と基板収納ケース４２との組み付け作業の削減が図られる。
【００７５】
このように、本実施形態によれば、発射モータ６８を覆ったカバー体４５が発射モータ６８に遊嵌されているので、発射モータ６８から発する熱が直にカバー体４５に伝わり難くなる。これにより、例えばメンテナンス作業時に、発射モータ６８に作業者の手が直接触れるのを防止すると共に、作業者の手がカバー体４５に触れた場合に作業者に不快感を与えることを防止できる。また、カバー体４５の先端部と台板６５との間の隙間が遊技球よりも小さいので、この隙間から発射モータ６８に遊技球が衝突するのを防止すると共に、人の手が発射モータ６８に直接触れることを防止できる。さらに、カバー体４５には、遊技球が入球不可能な複数のスリット４７が形成されたので、発射モータ６８への遊技球の衝突を防止しつつ発射モータ６８の熱をカバー体４５の外に効率よく逃がすことができる。
【００７６】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態においては、遊技機の一例としてパチンコ遊技機を例示したが、本発明はこれに限られず、弾球遊技機であれば、例えばアレンジボール等に本発明を適用してもよい。
【００７７】
（２）前記実施形態では、固定用脚部８５を基板収納ケース４２の前方に備えられた台板６５に突き当てて基板収納ケース４２が固定されていたが、図１０に示すように、基板収納ケース１４２の後側に取付板２００を備えると共に、基板収容ケース１４２のうちカバー体４５が形成された面と反対側の面に固定用脚部１８５を延設して、この取付板２００に固定用脚部１８５を突き当てて固定してもよい。
【００７８】
（３）前記実施形態では、電気的駆動源として発射モータ６８を備えていたが、ソレノイドであってもよい。
【００７９】
（４）前記実施形態では、カバー体４５が、基板収納ケース４２に一体形成されていたが、カバー体４５と基板収納ケース４２とを別体で構成して、カバー体４５と基板収納ケース４２とを一体的に組み付けてもよい。
【００８０】
（５）前記実施形態では、スリット４７がカバー体４５の先端側で開放されていたが、カバー体４５の先端側を閉鎖した構成でもよい。
【００８１】
（６）前記実施形態では、基板収納ケース４２には、発射制御基板５９が収納されていたが、他の制御基板であってもよい。
【００８２】
（７）前記実施形態では、基板収納ケース４２が台板６５に取付られた状態において、カバー体４５の先端部と台板６５との間に隙間が形成されていたが、カバー体４５が台板６５に突き当てられていてもよい。
【図面の簡単な説明】
【図１】本発明の一実施形態に係るパチンコ遊技機の正面図
【図２】発射装置及び基板収納ケースの斜視図
【図３】発射装置及び基板収納ケースの斜視図
【図４】組み付け状態における発射装置及び基板収納ケースの斜視図
【図５】基板収納ケースの背面図
【図６】組み付け状態における基板収納ケースの側面図
【図７】組み付け状態における基板収納ケースの底面図
【図８】図５におけるＡ−Ａ断面図
【図９】パチンコ遊技機の電気的構成を示すブロック図
【図１０】他の実施形態（２）における基板収納ケースの側面図
【符号の説明】
４２  基板収納ケース
４５  カバー体
４７  スリット（切欠き部）
４８  ハーネス
５９  発射制御基板
６５  台板（ベース部）
６８  発射モータ（電気的駆動源）
８３  凹所（凹凸係合部）
８５  固定用脚部
【図１】
2004290248.tif 000003
【図２】
2004290248.tif 000004
【図３】
2004290248.tif 000005
【図４】
2004290248.tif 000006
【図５】
2004290248.tif 000007
【図６】
2004290248.tif 000008
【図７】
2004290248.tif 000009
【図８】
2004290248.tif 000010
【図９】
2004290248.tif 000011
【図１０】
2004290248.tif 000012